【手続補正書】
【提出日】平成17年4月28日(2005.4.28)
【手続補正１】
【補正対象書類名】明細書
【補正対象項目名】特許請求の範囲
【補正方法】変更
【補正の内容】
【特許請求の範囲】
【請求項１】
同一の熱可塑性エラストマーを主原料とする複数の層からなり、押出し成形機で形成され、化粧層をなす最外層が透明なエラストマー層である乗客コンベア用移動手摺であって、
上記最外層とその内側に位置する層との間に模様および文字の少なくともいずれか一方を設けたことを特徴とする乗客コンベア用移動手摺。
【請求項２】
上記模様および文字の代わりに、発光媒体を、上記最外層とその内側に位置する層との間に設けたことを特徴とする請求項１記載の乗客コンベア用移動手摺。
【請求項３】
上記発光媒体は、該発光媒体内を乗客コンベア内に設けられた照明装置からの光が伝達し手摺全周にわたり光の線や帯が表現できる光ファイバーコードであることを特徴とする請求項２記載の乗客コンベア用移動手摺。
【請求項４】
上記発光媒体を、上記最外層またはその内側に隣接して位置する層に少なくとも一部を埋設したことを特徴とする請求項２記載の乗客コンベア用移動手摺。
【請求項５】
同一の熱可塑性エラストマーを主原料とする複数の層からなり、押出し成形機で形成され、化粧層をなす最外層が透明なエラストマー層である乗客コンベア用移動手摺であって、
上記最外層の内部に周辺から受ける外光により輝く畜光性成分を含む小片または光の反射率の高い小片を設けたことを特徴とする乗客コンベア用移動手摺。
【請求項６】
同一の熱可塑性エラストマーを主原料とする複数の層からなり、押出し成形機で形成され、化粧層をなす最外層が透明なエラストマー層である乗客コンベア用移動手摺であって、
上記最外層に溝や点の凹凸を設けたことを特徴とする乗客コンベア用移動手摺。
【請求項７】
上記最外層の内側に隣接して位置する層に、抗張体を埋設したことを特徴とする請求項１〜６のいずれかに記載の乗客コンベア用移動手摺。
【請求項８】
上記抗張体が帯状をなし、該帯状抗張体の手摺表面側に模様および文字の少なくともいずれか一方を設けたことを特徴とする請求項７記載の乗客コンベア用移動手摺。
【請求項９】
上記模様および文字は、上記内側の層に対する薄い部材の貼付け手段、印刷手段、または彫り込み手段で設けられることを特徴とする請求項１または８記載の乗客コンベア用移動手摺。
【請求項１０】
化粧層をなす最外層を含む複数の層からなる芯体を、上記最外層を除いた状態で押出し成形機で押出し成形する工程と、
該成形された内側層の外周面上に模様や文字、光ファイバーコードの発光媒体を設置する工程と、
該発光媒体が設置された芯体の外周面に上記最外層を押出しにより成形する工程と
を含むことを特徴とする乗客コンベア用移動手摺の製造方法。
【請求項１１】
化粧層をなす最外層を含む複数の層からなる芯体を、上記最外層を除いた状態で押出し成形機で押出し成形する工程と
該成形された内側層の外周面上に上記最外層を押出しにより成形するとともに、該最外層の内部に畜光性成分を含む小片または光の反射率の高い小片が埋め込まれるように成形する工程と
を含むことを特徴とする乗客コンベア用移動手摺の製造方法。
【請求項１２】
化粧層をなす最外層を含む複数の層からなる芯体を押出し成形する工程と、
上記最外層の手摺表面側に溝や点の凹凸を形成する工程と
を含むことを特徴とする請求項１０記載の乗客コンベア用移動手摺の製造方法。
【請求項１３】
上記芯体を押出し成形する工程では、上記芯体の何れかの層あるいは層間に抗張体を埋設する一体化成形を行うことを特徴とする請求項１０〜１２のいずれかに記載の乗客コンベア用移動手摺の製造方法。
【請求項１４】
上記抗張体を帯状となし、該帯状抗張体の手摺表面側に対して薄い部材の貼付け手段、印刷手段、または彫り込み手段により模様または文字を設けることを特徴とする請求項１３記載の乗客コンベア用移動手摺の製造方法。
【手続補正２】
【補正対象書類名】明細書
【補正対象項目名】０００６
【補正方法】変更
【補正の内容】
【０００６】
【課題を解決するための手段】
この発明に係る乗客コンベア用移動手摺は、同一の熱可塑性エラストマーを主原料とする複数の層からなり、押出し成形機で形成され、化粧層をなす最外層が透明なエラストマー層である乗客コンベア用移動手摺であって、上記最外層とその内側に位置する層との間に模様および文字の少なくともいずれか一方を設けたものである。
【手続補正３】
【補正対象書類名】明細書
【補正対象項目名】０００７
【補正方法】変更
【補正の内容】
【０００７】
また、この発明に係る乗客コンベア用移動手摺は、上記模様および文字の代わりに、発光媒体を、上記最外層とその内側に位置する層との間に設けたものである。
【手続補正４】
【補正対象書類名】明細書
【補正対象項目名】０００９
【補正方法】変更
【補正の内容】
【０００９】
また、この発明に係る乗客コンベア用移動手摺は、上記発光媒体を、上記最外層またはその内側に隣接して位置する層に少なくとも一部を埋設したものである。
【手続補正５】
【補正対象書類名】明細書
【補正対象項目名】００１０
【補正方法】変更
【補正の内容】
【００１０】
また、この発明に係る乗客コンベア用移動手摺は、同一の熱可塑性エラストマーを主原料とする複数の層からなり、押出し成形機で形成され、化粧層をなす最外層が透明なエラストマー層である乗客コンベア用移動手摺であって、上記最外層の内部に周辺から受ける外光により輝く畜光性成分を含む小片または光の反射率の高い小片を設けたものである。
【手続補正６】
【補正対象書類名】明細書
【補正対象項目名】００１１
【補正方法】変更
【補正の内容】
【００１１】
また、この発明に係る乗客コンベア用移動手摺は、同一の熱可塑性エラストマーを主原料とする複数の層からなり、押出し成形機で形成され、化粧層をなす最外層が透明なエラストマー層である乗客コンベア用移動手摺であって、上記最外層に溝や点の凹凸を設けたものである。
【手続補正７】
【補正対象書類名】明細書
【補正対象項目名】００１２
【補正方法】変更
【補正の内容】
【００１２】
また、この発明に係る乗客コンベア用移動手摺は、上記最外層の内側に隣接して位置する層に、抗張体を埋設したものである。
【手続補正８】
【補正対象書類名】明細書
【補正対象項目名】００１４
【補正方法】変更
【補正の内容】
【００１４】
また、この発明に係る乗客コンベア用移動手摺は、上記模様および文字は、上記内側の層に対する薄い部材の貼付け手段、印刷手段、または彫り込み手段で設けられるものである。
【手続補正９】
【補正対象書類名】明細書
【補正対象項目名】００１５
【補正方法】変更
【補正の内容】
【００１５】
また、この発明に係る乗客コンベア用移動手摺の製造方法は、化粧層をなす最外層を含む複数の層からなる芯体を、上記最外層を除いた状態で押出し成形機で押出し成形する工程と、該成形された内側層の外周面上に模様や文字、光ファイバーコードの発光媒体を設置する工程と、該発光媒体が設置された芯体の外周面に上記最外層を押出しにより成形する工程とを含むものである。
【手続補正１０】
【補正対象書類名】明細書
【補正対象項目名】００１６
【補正方法】変更
【補正の内容】
【００１６】
また、この発明に係る乗客コンベア用移動手摺の製造方法は、化粧層をなす最外層を含む複数の層からなる芯体を、上記最外層を除いた状態で押出し成形機で押出し成形する工程と、該成形された内側層の外周面上に上記最外層を押出しにより成形するとともに、該最外層の内部に畜光性成分を含む小片または光の反射率の高い小片が埋め込まれるように成形する工程とを含むものである。
【手続補正１１】
【補正対象書類名】明細書
【補正対象項目名】００１８
【補正方法】変更
【補正の内容】
【００１８】
また、この発明に係る乗客コンベア用移動手摺の製造方法は、上記芯体を押出し成形する工程では、上記芯体の何れかの層あるいは層間に抗張体を埋設する一体化成形を行うものである。
【手続補正１２】
【補正対象書類名】明細書
【補正対象項目名】００４０
【補正方法】変更
【補正の内容】
【００４０】
【発明の効果】
この発明によれば、同一の熱可塑性エラストマーを主原料とする複数の層からなり、押出し成形機で形成され、化粧層をなす最外層が透明なエラストマー層である乗客コンベア用移動手摺であって、上記最外層とその内側に位置する層との間に模様および文字の少なくともいずれか一方を設けたので、安全性・意匠性・利便性の向上を長期的に維持可能であり、かつ生産性の高い乗客コンベア用移動手摺が得られるという効果がある。
【手続補正１３】
【補正対象書類名】明細書
【補正対象項目名】００４１
【補正方法】変更
【補正の内容】
【００４１】
また、この発明によれば、上記模様および文字の代わりに、発光媒体を、上記最外層とその内側に位置する層との間に設けたので、新たな乗客コンベアの演出手段が可能になるという効果がある。
【手続補正１４】
【補正対象書類名】明細書
【補正対象項目名】００４３
【補正方法】変更
【補正の内容】
【００４３】
また、この発明によれば、上記発光媒体を、上記最外層またはその内側に隣接して位置する層に少なくとも一部を埋設したので、光ファイバーコードを事前に成形体上へ接着固定する工程が省け、より容易に製作可能になるという効果ある。
【手続補正１５】
【補正対象書類名】明細書
【補正対象項目名】００４４
【補正方法】変更
【補正の内容】
【００４４】
また、この発明によれば、同一の熱可塑性エラストマーを主原料とする複数の層からなり、押出し成形機で形成され、化粧層をなす最外層が透明なエラストマー層である乗客コンベア用移動手摺であって、上記最外層の内部に周辺から受ける外光により輝く畜光性成分を含む小片または光の反射率の高い小片を設けたので、容易に意匠性等の向上出来ると共に、夜中の不意な停電時にも、一定時間は手摺から光が発せられるため乗客コンベアの位置が認識でき、安全誘導が可能となるという効果がある。
【手続補正１６】
【補正対象書類名】明細書
【補正対象項目名】００４５
【補正方法】変更
【補正の内容】
【００４５】
また、この発明によれば、同一の熱可塑性エラストマーを主原料とする複数の層からなり、押出し成形機で形成され、化粧層をなす最外層が透明なエラストマー層である乗客コンベア用移動手摺であって、上記最外層に溝や点の凹凸を設けたので、押出し金型を加工する必要もなく、手摺と接するローラを設置するだけで対応でき、安価で連続的に手摺表面上に任意の模様を設けることが可能であるという効果がある。
【手続補正１７】
【補正対象書類名】明細書
【補正対象項目名】００４６
【補正方法】変更
【補正の内容】
【００４６】
また、この発明によれば、上記最外層の内側に隣接して位置する層に、抗張体を埋設したので、移動手摺の伸び防止・引張り破断強度アップが可能になるという効果がある。
【手続補正１８】
【補正対象書類名】明細書
【補正対象項目名】００４８
【補正方法】変更
【補正の内容】
【００４８】
また、この発明によれば、上記模様および文字は、上記内側の層に対する薄い部材の貼付け手段、印刷手段、または彫り込み手段で設けられるので、意匠性や生産性等の向上に寄与できるという効果がある。
【手続補正１９】
【補正対象書類名】明細書
【補正対象項目名】００４９
【補正方法】変更
【補正の内容】
【００４９】
また、この発明によれば、化粧層をなす最外層を含む複数の層からなる芯体を、上記最外層を除いた状態で押出し成形機で押出し成形する工程と、該成形された内側層の外周面上に模様や文字、光ファイバーコードの発光媒体を設置する工程と、該発光媒体が設置された芯体の外周面に上記最外層を押出しにより成形する工程とを含むので、安全性・意匠性・利便性の向上を長期的に維持可能であり、かつ生産性の高い乗客コンベア用移動手摺を製造でき、しかも芯体の全製造工程とも押出し成形が可能であるとともに、模様も従来のように数分間もプレスして接着することなく層間の密着効果によって接着可能なため、製造時間も短縮できるという効果がある。
【手続補正２０】
【補正対象書類名】明細書
【補正対象項目名】００５０
【補正方法】変更
【補正の内容】
【００５０】
また、この発明によれば、化粧層をなす最外層を含む複数の層からなる芯体を、上記最外層を除いた状態で押出し成形機で押出し成形する工程と、該成形された内側層の外周面上に上記最外層を押出しにより成形するとともに、該最外層の内部に畜光性成分を含む小片または光の反射率の高い小片が埋め込まれるように成形する工程とを含むので、容易に意匠性等の向上が図れると共に、夜中の不意な停電時にも、全誘導が可能な移動手摺の製造が可能になるという効果がある。
【手続補正２１】
【補正対象書類名】明細書
【補正対象項目名】００５２
【補正方法】変更
【補正の内容】
【００５２】
また、この発明によれば、上記芯体を押出し成形する工程では、上記芯体の何れかの層あるいは層間に抗張体を埋設する一体化成形を行うので、製造時間の短縮に寄与できるという効果がある。